(57)【要約】      （修正有）【課題】外壁の内側に内壁がある場合でも、納骨室光を取り入れることができる墓石を提供する。【解決手段】外壁５は対向する第１壁５１および第２壁５２と、第３壁５３および第４壁５４とを備える。内壁６は一対の内側壁６１，６２と、内側壁６１，６２と交差する後縁壁６３とを備える。第１壁５１には、開閉可能な納骨扉５５が形成される。第２壁５２および納骨扉５５には外壁採光用孔７１を備え、外壁採光用孔７１には難視認特性を有する透過性カバー８１が取付けられる。後縁壁６３には後縁壁採光用孔７３を備える。第３壁５３および第４壁５４には外壁通気孔７４，７５を備え、内側壁６１，６２には内側壁通気孔７６，７７を備える。外壁通気孔７４と内側壁通気孔７６との間および外壁通気孔７５と内側壁通気孔７７との間には、パイプ９１，９２が配置される。【選択図】図２
0003214946.tif 000002
【実用新案登録請求の範囲】
【請求項１】
互いに対向する第１壁および第２壁と、互いに対向する第３壁および第４壁とを備える環状の外壁と、前記外壁の内側に位置し前記第３壁および第４壁に沿って延びる一対の内側壁とを備え、少なくとも前記内側壁を用いて納骨室を形成する墓石であって、
前記第１壁または前記第２壁の少なくともいずれか一方に、それを厚さ方向に連通する外壁採光用孔を備え、前記外壁採光用孔には、難視認特性を有する透過性カバーが取付けられることを特徴とする墓石。
【請求項２】
前記第１壁または前記第２壁のいずれか一方には、その一部が開閉可能な納骨扉が形成され、前記外壁採光用孔は前記納骨扉に設けられることを特徴とする請求項１記載の墓石。
【請求項３】
前記第２壁に沿って延びるとともに前記内側壁と交差する後縁壁をさらに備え、
前記内側壁の一方の端部は前記第１壁に当接し、他方の端部は前記後縁壁に当接するとともに、前記後縁壁は前記第２壁に対向して配置され、
前記納骨室が前記内側壁、前記後縁壁および前記第１壁によって形成され、
前記後縁壁には、その厚さ方向に貫通する後縁壁採光用孔を備え、
前記外壁採光用孔は、前記第２壁に設けられるとともに、前記外壁採光用孔と前記後縁壁採光用孔とは、前記第２壁の厚さ方向において少なくともその一部が重なる位置関係を有することを特徴とする請求項２記載の墓石。
【請求項４】
前記第３壁または前記第４壁の少なくともいずれか一方に、その厚さ方向に貫通する外壁通気孔を備え、
前記内側壁には、前記外壁通気孔に対向する位置に、その厚さ方向に貫通する内側壁通気孔を備え、
前記外壁通気孔と前記内側壁通気孔とは、パイプによって連通されることを特徴とする請求項３記載の墓石。
【考案の詳細な説明】
【技術分野】
【０００１】
この考案は、墓石の納骨室の構造に関し、より詳細には、納骨室に採光用窓を取付けた墓石に関する。
【背景技術】
【０００２】
従来、納骨室に採光窓を設けた墓石が知られている。採光窓は、納骨室を区画する外壁に開口部を設けることによって形成される。このように採光窓を形成することによって、納骨室に光を取り入れることができる。納骨室に光を取り入れることによって、暗く陰湿なイメージになりやすい納骨室を少しでも明るくすることができる。
【先行技術文献】
【特許文献】
【０００３】
【特許文献１】特開２００１−１３２２７７号公報
【考案の概要】
【考案が解決しようとする課題】
【０００４】
しかしながら、特許文献１によれば、外壁の内側が直に納骨室になっているものについては有効であるが、外壁の内側にさらに内壁が有ったり納骨枡が設けられたりする場合について開示するものではない。
【０００５】
この考案では、外壁の内側に内壁が有ったり納骨枡が設けられたりした場合であっても、納骨室光を取り入れることができる墓石を提供することを課題とする。
【課題を解決するための手段】
【０００６】
この考案は、互いに対向する第１壁および第２壁と、互いに対向する第３壁および第４壁とを備える環状の外壁と、前記外壁の内側に位置し前記第３壁および第４壁に沿って延びる一対の内壁とを備え、少なくとも前記内壁を用いて納骨室を形成する墓石であって、前記第１壁または前記第２壁の少なくともいずれか一方に、それを厚さ方向に連通する外壁採光用孔を備え、前記外壁採光用孔には、難視認特性を有する透過性カバーが取付けられることを特徴とする。
難視認特性を有するとは、この透過性カバーを介してその向こう側のものが明確に視認することができないものという意味である。
【０００７】
前記第１壁または前記第２壁のいずれか一方には、その一部が開閉可能な納骨扉が形成され、前記外壁採光用孔は前記納骨扉に設けられていてもよい。
【０００８】
前記第２壁に沿って延びるとともに前記内側壁と交差する後縁壁をさらに備え、
前記内側壁の一方の端部は前記第１壁に当接し、他方の端部は前記後縁壁に当接するとともに、前記後縁壁は前記第２壁に対向して配置され、前記納骨室が前記内側壁、前記後縁壁および前記第１壁によって形成され、前記後縁壁には、その厚さ方向に貫通する後縁壁採光用孔を備え、前記外壁採光用孔は、前記第２壁に設けられるとともに、前記外壁採光用孔と前記後縁壁採光用孔とは、前記第２壁の厚さ方向において少なくともその一部が重なる位置関係を有していてもよい。
【０００９】
前記第３壁または前記第４壁の少なくともいずれか一方に、その厚さ方向に貫通する外壁通気孔を備え、前記内側壁には、前記外壁通気孔に対向する位置に、その厚さ方向に貫通する内側壁通気孔を備え、前記外壁通気孔と前記内側壁通気孔とは、パイプによって連通されていてもよい。
【考案の効果】
【００１０】
この考案の墓石によれば、外壁の内側に内壁を用いて形成された納骨室を有する場合であっても、納骨室の一部を外壁で構成するとともに、この外壁に採光用孔を形成することによって、納骨室に光を取り入れることができる。
【図面の簡単な説明】
【００１１】
【図１】墓石の全体概要を示す斜視図。
【図２】墓石の腰石および納骨室を示す斜視図。
【図３】（ａ）図２の正面図。（ｂ）図２の背面図。
【図４】（ａ）図２の右側面図。（ｂ）図２の左側面図。
【考案を実施するための形態】
【００１２】
図１を参照すれば、墓石１は、納骨室２を構成する腰石３と、腰石３に載せられた竿石４とを含む。
図２〜４を参照すれば、腰石３は、外壁５と、外壁５の内側に位置する内壁６とを備える。外壁５は、互いに対向する第１壁５１および第２壁５２と、互いに対向する第３壁５３および第４壁５４とを備え、環状にされている。この実施形態においては、外壁５の少なくとも一部によって矩形が形成される。
【００１３】
内壁６は、第３壁５３および第４壁５４の内側に沿って延びる一対の内側壁６１，６２と、第２壁５２の内側に沿って延びるとともに内側壁６１，６２と交差する後縁壁６３とを備える。内側壁６１，６２の一方の端部は第１壁５１に当接し、他方の端部は後縁壁６３に当接する。後縁壁６３は第２壁５２に対向して配置されるとともに、後縁壁６３と第２壁５２とは対向する面が密接している。この実施形態において、第１壁５１、内側壁６１，６２および後縁壁６３によって納骨室２を形成する。すなわち、第1壁５１、内側壁６１，６２によって納骨枡とすることができる。
【００１４】
外壁５の第１壁５１または第２壁５２のいずれか一方には、その一部が開閉可能な納骨扉５５が形成される。この実施形態において、第１壁５１は墓石の正面に位置し、したがって納骨扉５５も正面に位置する。納骨扉５５は、左右に分割された第１壁５１の中央に位置し、図面上方に摺動移動可能とされる。より具体的には、第１壁５１には納骨扉５５が挿入可能な溝５１ａが形成され、この溝５１ａに沿って納骨扉５５を図面上方に摺動移動させることによって開口を形成し、骨壺を納骨室２に入れることができる。
【００１５】
上記のような第２壁５２および納骨扉５５には、それぞれを厚さ方向に貫通する外壁採光用孔７１，７２を備える。外壁採光用孔７１，７２には、難視認特性を有する透過性カバー８１，８２がそれぞれ取付けられる。難視認特性を有するとは、この透過性カバー８１，８２を介してその向こう側のものは明確に視認することができないものという意味である。したがって、この透過性カバー８１，８２を用いることによって、納骨室２に外側からの明かりを取り入れることができるが、外側から納骨室２内の骨壺の形状や大きさ等を明確に判断することができないというものである。また、このように透過性カバー８１，８２を取付けることによって、外壁採光用孔７１，７２から虫等が入るのを予防することもできる。
【００１６】
第２壁５２に密接する後縁壁６３には、それを厚さ方向に貫通する後縁壁採光用孔７３を備える。後縁壁採光用孔７３は、第２壁５２に設けられた外壁採光用孔７２とほぼ同形同大であるか、それよりも大きい。また、後縁壁採光用孔７３と外壁採光用孔７２とは、壁の厚さ方向において少なくともその一部が重なる位置関係を有する。この実施形態では、これらが一致するように配置される。したがって、第２壁５２の外壁採光用孔７２からの光を妨げることなく、後縁壁採光用孔７３を介して納骨室２に外側からの明かりを取り入れることができる。
【００１７】
この実施形態では、墓石１の表に位置する納骨扉５５と、裏に位置する第２壁５２とに外壁採光用孔７１，７２を設けることによって、略１８０度対向する方向から光を取り入れることができ、より明るくすることができる。また、一方の孔から納骨室２内を覗いたときに、他方の孔からの明かりを確認することができ、より一層明るいイメージにすることができる。
【００１８】
外壁５の第３壁５３および第４壁５４には、その厚さ方向に貫通する外壁通気孔７４，７５をそれぞれ備える。内側壁６１，６２には、その厚さ方向に貫通する内側壁通気孔７６，７７をそれぞれ備える。外壁通気孔７４，７５と内側壁通気孔７６，７７は、それぞれ同形同大である。また、外壁通気孔７４と内側壁通気孔７６とは、厚さ方向においてほぼ一致する位置関係を有し、同様に外壁通気孔７５と内側壁通気孔７７も、厚さ方向においてほぼ一致する位置関係を有する。
【００１９】
外壁通気孔７４と内側壁通気孔７６との間には、これら孔を連通するパイプ９１が配置され、同様に外壁通気孔７５と内側壁通気孔７７との間にも、これらを連通するパイプ９２が配置される。外壁通気孔７４，７５には通気性を有する通気性カバー８３，８４をそれぞれ取り付ける。通気性カバー８３，８４を設けることによって、納骨室２への外気の供給を妨げることなく、かつ、へびや虫等の生物の侵入を阻止することができる。通気性カバー８３，８４として、複数の板部材を並べたものや、網部材によって孔を覆うものなどが挙げられる。
【００２０】
上記のような構成において、外気を外壁通気孔７４，７５、パイプ９１，９２、および内側壁通気孔７６，７７を介して納骨室２に導入することができる。パイプ９１，９２を用いることによって、外壁５と内壁６との間に外気を拡散させることなく直接納骨室２に導入することができるので、効率的に納骨室２内の換気をすることができる。また、外壁通気孔７４，７５および内側壁通気孔７６，７７は、それぞれ壁の厚さ方向において対向する位置関係を有するとともに、納骨室２における前後方向のほぼ中央に位置するようにしている。
【００２１】
この実施形態において、納骨室２の一部を外壁５で構成し、その外壁５に採光用窓を設けることとしている。したがって、外壁５の内側に位置する内壁６を用いて納骨室２を構成する場合であっても、その一部を構成する外壁５に採光窓を設けることによって、納骨室２に光を取り入れることができる。納骨室２に光を取り入れることにより、暗いイメージの納骨室２を明るくすることができる。納骨室２を明るくすることによって、墓参りに来た遺族等の気持ちを少しでも安らかにすることができる。また、光の当たる場所で安らかに眠ってほしいという故人に対する遺族等の希望を叶えることもできる。同様に、納骨室２における換気についても、遺族等の心情を考慮したものとなっている。
【００２２】
納骨室２の床面には、防草シートを敷設するとともに、景観を向上させるために防草シートの上に玉砂利等を敷設することが好ましい。外壁５および内壁６として石材を用いることができ、種々の墓石用石材を用いることができる。
【００２３】
外壁５において、採光用孔および通気孔をそれぞれ２か所ずつ設けるようにしているが、これらの数に限定されるものではない。パイプ９１，９２としては、樹脂製および金属製等、種々の材料を用いることができる。第１壁５１，５２および内側壁６１，６２のそれぞれの間には、コンクリートを打設し、石材が倒れるのを防止することが望ましい。
【００２４】
この実施形態において、第１壁５１に納骨扉５５を設け、これが図面上下方向に摺動可能とし、納骨室２の側面から骨壺を搬入可能としているが、納骨室２の上面から骨壺を搬入するタイプの墓石にも適用することができる。その場合、納骨扉５５に採光用孔を設けるのではなく、第１壁５１に直接設けることとしてもよい。
【符号の説明】
【００２５】
１    墓石
２    納骨室
５    外壁
６    内壁
５１    第１壁
５２    第２壁
５３    第３壁
５４    第４壁
５５    納骨扉
６１    内側壁
６１    内側壁
６３    後縁壁
７１    外壁採光用孔
７２    外壁採光用孔
７３    後縁壁採光用孔
７４    外壁通気孔
７５    外壁通気孔
７６    内側壁通気孔
７７    内側壁通気孔
８１    透過性カバー
８２    透過性カバー
【図１】
0003214946.tif 000003
【図２】
0003214946.tif 000004
【図３】
0003214946.tif 000005
【図４】
0003214946.tif 000006